(57)【要約】【課題】ＬＰＦの回路素子に製造上のバラツキが生じた場合でも、個々のＬＰＦの特性によって最適なチャネル帯域幅の制御データを各ＬＰＦに設定でき、受信特性のバラツキを抑えて最適動作を実現できること。【解決手段】デジタル放送受信装置は、直交２相の信号であるＩ信号及びＱ信号を生成するＩ信号用ミキサ（１２）及びＱ信号用ミキサ（１３）の後段にそれぞれ接続され、遮断周波数特性が設計値に近似するように事前にトリミングされており、外部から与えられる制御データによって帯域幅を制御可能に構成されたＬＰＦ（１６、１７）と、ＬＰＦ（１６、１７）の遮断周波数特性をトリミングした際のトリミングデータからなる遮断周波数校正値を記憶したメモリ部（１９）と、を備え、ＬＰＦ（１６、１７）は、メモリ部（１９）に記憶されている遮断周波数校正値の大きさに応じて決定された制御データが外部から与えられて帯域幅が設定される。【選択図】図２
2012186596.tif 000002
【特許請求の範囲】
【請求項１】
９０°位相の異なる局部信号を高周波受信信号と混合して直交２相の信号であるＩ信号及びＱ信号を生成するＩ信号用ミキサ及びＱ信号用ミキサと、
前記Ｉ信号用ミキサ及びＱ信号用ミキサの後段にそれぞれ接続され、遮断周波数特性が設計値に近似するように事前にトリミングされており、外部から与えられる制御データによって帯域幅を制御可能に構成されたローパスフィルタと、
前記ローパスフィルタの遮断周波数特性をトリミングした際のトリミングデータからなる遮断周波数校正値を記憶したメモリ部と、を備え、
前記ローパスフィルタは、前記メモリ部に記憶されている遮断周波数校正値の大きさに応じて決定された制御データが外部から与えられて帯域幅が設定されることを特徴とするデジタル放送受信装置。
【請求項２】
前記ローパスフィルタは、前記メモリ部に記憶されている遮断周波数校正値が所定値よりも大きければ相対的に小さな帯域幅の制御データが外部から与えられ、前記遮断周波数校正値が所定値よりも小さければ相対的に大きな帯域幅の制御データが外部から与えられることを特徴とする請求項１記載のデジタル放送受信装置。
【請求項３】
前記Ｉ信号用ミキサ及びＱ信号用ミキサ、前記ローパスフィルタ及び前記メモリ部を有するチューナブロックを複数備えたことを特徴とする請求項１又は請求項２記載のデジタル放送受信装置。
【請求項４】
前記各チューナブロック内の前記Ｉ信号用ミキサ及びＱ信号用ミキサの後段にそれぞれ接続された一対のローパスフィルタに対して、同一の制御データを与えることを特徴とする請求項３記載のデジタル放送受信装置。
【請求項５】
車載用ダイバーシティ受信用の複数アンテナに対応して前記複数のチューナブロックが設けられていることを特徴とする請求項３又は請求項４記載のデジタル放送受信装置。
【発明の詳細な説明】
【技術分野】
【０００１】
本発明は、デジタル放送受信装置に関し、例えば、車載用ナビゲーション装置に用いられるデジタル放送受信装置に関する。
【背景技術】
【０００２】
この種のデジタル放送受信装置には、例えば、ローパスフィルタ（ＬＰＦ：Low  Pass  Filter）を有するチューナブロックが設けられている。ＩＣ製造工程においては、ＬＰＦを構成するダイ上の回路素子（抵抗やキャパシタ）の素子サイズが、レーザートリミング等のトリミング方法で調整され（例えば、特許文献１）、ローパスフィルタの特性（遮断周波数、帯域外阻止量）が設計値に近付けられる。ローパスフィルタの遮断周波数特性を校正する遮断周波数校正値は、トリミングデータとしてＩＣ内蔵のＲＯＭ（Read  Only  Memory）に記憶されて出荷される。また、ＩＣメーカは、ＩＣユーザが使用する放送のチャネル帯域幅に応じて、あるチャネル帯域幅に対応する制御データ（例えば、ＩＦ−ＢＷ形式のレジスタ値）を推奨する。ＩＣユーザは、ホスト側からＩＣ内のチューナブロックのレジスタに推奨された制御データを書き込み、放送のチャネル帯域幅に対応した周波数特性をローパスフィルタに設定する。
【先行技術文献】
【特許文献】
【０００３】
【特許文献１】特開平５ー１２１５０３号公報
【発明の概要】
【発明が解決しようとする課題】
【０００４】
しかしながら、ＩＣのダイ個片単位でみればローパスフィルタの特性のバラツキは比較的小さいが、車載用ナビゲーション装置のように周波数変換系統が多数になってくると、ダイサイズも大きくなるため、ローパスフィルタの特性のバラツキが問題になる。ローパスフィルタの遮断周波数が外側（高域）にずれれば希望波に隣接する妨害波の抑圧が不十分になり、遮断周波数が内側（低域）にずれれば希望波を減衰させる問題が生じる。
【０００５】
本発明は、かかる点に鑑みてなされたものであり、ローパスフィルタの回路素子に製造上のバラツキが生じた場合でも、個々のローパスフィルタの特性によって最適なチャネル帯域幅の制御データを各ローパスフィルタに設定でき、受信特性のバラツキを抑えて最適動作を実現できるデジタル放送受信装置を提供することを目的とする。
【課題を解決するための手段】
【０００６】
本発明のデジタル放送受信装置は、９０°位相の異なる局部信号を高周波受信信号と混合して直交２相の信号であるＩ信号及びＱ信号を生成するＩ信号用ミキサ及びＱ信号用ミキサと、前記Ｉ信号用ミキサ及びＱ信号用ミキサの後段にそれぞれ接続され、遮断周波数特性が設計値に近似するように事前にトリミングされており、外部から与えられる制御データによって帯域幅を制御可能に構成されたローパスフィルタと、前記ローパスフィルタの遮断周波数特性をトリミングした際のトリミングデータからなる遮断周波数校正値を記憶したメモリ部と、を備え、前記ローパスフィルタは、前記メモリ部に記憶されている遮断周波数校正値の大きさに応じて決定された制御データが外部から与えられて帯域幅が設定されることを特徴とする。
【０００７】
この構成によれば、メモリ部に記憶されている遮断周波数校正値の大きさに応じて決定された制御データが外部から与えられて、ローパスフィルタの帯域幅が設定されるので、個々のローパスフィルタの回路素子に製造上のバラツキが生じた場合でも、当該ローパスフィルタの帯域幅が適正に補正されるので、チューナブロックの受信特性の劣化を防止することができる。
【０００８】
また、本発明のデジタル放送受信装置において、前記ローパスフィルタは、前記メモリ部に記憶されている遮断周波数校正値が所定値よりも大きければ相対的に小さな帯域幅の制御データが外部から与えられ、前記遮断周波数校正値が所定値よりも小さければ相対的に大きな帯域幅の制御データが外部から与えられることが好ましい。
【０００９】
また、本発明のデジタル放送受信装置において、前記Ｉ信号用ミキサ及びＱ信号用ミキサ、前記ローパスフィルタ及び前記メモリ部を有するチューナブロックを複数備える構成としてもよい。
【００１０】
また、本発明のデジタル放送受信装置において、前記各チューナブロック内の前記Ｉ信号用ミキサ及びＱ信号用ミキサの後段にそれぞれ接続された一対のローパスフィルタに対して、同一の制御データを与える構成としてもよい。
【００１１】
また、本発明のデジタル放送受信装置において、車載用ダイバーシティ受信用の複数アンテナに対応して前記複数のチューナブロックが設けられている構成としてもよい。
【発明の効果】
【００１２】
本発明によれば、ローパスフィルタの回路素子に製造上のバラツキが生じた場合でも、個々のローパスフィルタの特性によって最適なチャネル帯域幅の制御データを各ローパスフィルタに設定でき、受信特性のバラツキを抑えて最適動作を実現できる。
【図面の簡単な説明】
【００１３】
【図１】本実施の形態に係るデジタル放送受信装置を概略的に示した全体構成図である。
【図２】本実施の形態に係るチューナブロックの構成を示す回路図である。
【図３】トリミングデータからなる遮断周波数校正値を説明するための図である。
【図４】ローパスフィルタの帯域幅設定動作を説明するための図である。
【図５】本実施の形態に係るチューナブロックの帯域幅設定動作を示すフローチャートである。
【発明を実施するための形態】
【００１４】
以下、本実施の形態について図面を参照して詳細に説明する。
図１は、本実施の形態に係るデジタル放送受信装置を概略的に示した全体構成図である。図１に示すように、デジタル放送受信装置１は、ダイレクトコンバージョン（Direct  Conversion）方式の受信装置であり、アンテナで受信した高周波信号に対して所定の受信処理（増幅処理）を行うアンテナ受信部２と、アンテナ受信部２から入力された高周波信号に対して周波数変換処理を行う複数のチューナブロック３と、複数のチューナブロック３で周波数変換後の信号に対して所定の復調処理を行う復調部４と、これら各部を制御する制御部５と、を備えている。このデジタル放送受信装置１は、４つのチューナブロック３によって４系統の周波数変換系統を構成し、各チューナブロック３は、２つのローパスフィルタ（ＬＰＦ：Low  Pass  Filter）１６，１７を有し、２系統の周波数変換系統を構成している。これら４つのチューナブロック３によって、単一のＲＦ  ＩＣのダイが構成される。このデジタル放送受信装置１では、各チューナブロック３に設けられたローパスフィルタ１６，１７が、ＲＯＭ（Read  Only  Memory）１９に記憶されたトリミングデータからなる遮断周波数校正値によって決定された制御データに基づいて、ローパスフィルタ１６，１７の遮断周波数の位置（チャネル帯域幅）が制御可能に構成されている。
【００１５】
図２は、チューナブロック３を概略的に示した回路構成図である。図２に示すように、チューナブロック３は、入力端がＲＦ端子Ｔ１に接続された増幅器（ＬＮＡ：Low  Noise  Amplifier）１１と、増幅器１１の後段に設けられた第１のＩ信号用ミキサ１２及び第１のＱ信号用ミキサ１３と、基準発振信号を発生させる発振器１４と、第１のＩ信号用ミキサ１２及び第１のＱ信号用ミキサ１３に第１のローカル信号を与える第１の発振器１５と、第１のＩ信号用ミキサ１２及び第１のＱ信号用ミキサ１３の後段に設けられたローパスフィルタ１６，１７と、通信バスＩ２Ｃを介して制御部５に接続されたレジスタ１８及びＲＯＭ（Read  Only  Memory）１９と、を有している。また、チューナブロック３は、ローパスフィルタ１６，１７の後段に設けられた増幅器２０，２１と、増幅器２０，２１の後段に設けられた第２のＩ信号用ミキサ２２及び第２のＱ信号用ミキサ２３と、第２のＩ信号用ミキサ２２及び第２のＱ信号用ミキサ２３に第２のローカル信号を与える第２の発振器２４と、第２のＩ信号用ミキサ２２及び第２のＱ信号用ミキサ２３からそれぞれ出力された信号を合成する合成器２５と、合成器２５の後段に設けられたローパスフィルタ２６と、を有している。
【００１６】
増幅器１１は、ＲＦ端子Ｔ１を介してアンテナ受信部２から入力された希望周波数帯域の高周波信号を所定レベルにまで増幅し、増幅後の高周波信号を第１のＩ信号用ミキサ１２及び第１のＱ信号用ミキサ１３にそれぞれ出力する。
【００１７】
発振器１４は、基準発振信号の周波数を変更可能に構成されており、この基準発振信号の発振周波数によってチューナブロック３のチャンネルが設定される（選局設定）。発振器１４は、基準発振信号を生成して、第１の発振器１５及び第２の発振器２４にそれぞれ出力する。
【００１８】
第１の発振器１５は、発振器１４から受けた基準発振信号に基づいて、ダウンコンバート用の第１のローカル信号を生成する。第１の発振器１５は、第１のローカル信号の同相成分を第１のＩ信号用ミキサ１２に与え、第１のＩ信号用ミキサ１２に与えられる信号とは９０度位相の異なる第１のローカル信号の直交成分を第１のＱ信号用ミキサ１３に与える。なお、Ｚｅｒｏ−ＩＦ  ＲＦ  チューナブロックの場合には、第１の発振器１５で、高周波信号と同一周波数(例えば、４７９．１４３ＭＨｚ)の第１のローカル信号が生成され、高周波信号と混合される。
【００１９】
第１のＩ信号用ミキサ１２は、増幅器１１で増幅された高周波信号と、第１の発振器１５から入力された第１のローカル信号とを混合して周波数変換し（例えば、０から２．８ＭＨｚ）、周波数変換された信号（Ｉ信号）をローパスフィルタ１６に出力する。一方、第２のＱ信号用ミキサ２３は、増幅器１１で増幅された高周波信号と、第１の発振器１５から入力された第１のローカル信号の直交成分局部発振信号とを混合して周波数変換し（例えば、０から２．８ＭＨｚ）、周波数変換された信号（Ｑ信号）をローパスフィルタ１７に出力する。
【００２０】
ローパスフィルタ１６，１７は、レジスタ１８に書き込まれた制御データ（ＩＦ＿ＢＷ）に基づいて、チャネル帯域幅（遮断周波数位置）が設定可能に構成されている。ローパスフィルタ１６は、第１のＩ信号用ミキサ１２から入力されたＩ信号に対して、制御データに基づいて設定された遮断周波数（例えば、２．８５ＭＨｚ）よりも高域を阻止帯域とすると共に、遮断周波数よりも低域側で帯域内となる信号を通過可能に構成される。一方、ローパスフィルタ１７は、第１のＩ信号用ミキサ１２から入力されたＱ信号に対して、制御データに基づいて設定された遮断周波数（例えば、２．８５ＭＨｚ）よりも高域を阻止帯域とすると共に、遮断周波数よりも低域側で帯域内となる信号を通過可能に構成されている。これにより、遮断周波数帯域よりも高域に隣接する妨害波が減衰されて、ローパスフィルタ１６，１７後段へ隣接妨害波が減衰された信号が出力される。
【００２１】
増幅器２０は、ローパスフィルタ１６を通過したＩ信号を所定レベルにまで増幅し、増幅後のＩ信号を第２のＩ信号用ミキサ２２に出力する。一方、増幅器２１は、ローパスフィルタ１７を通過したＱ信号を所定レベルにまで増幅し、増幅後のＱ信号を第２のＱ信号用ミキサ２３に出力する。
【００２２】
第２の発振器２４は、発振器１４から受けた基準発振信号に基づいて、アップコンバート用の第２のローカル信号を生成する。第２の発振器２４は、第２のローカル信号の同相成分を第２のＩ信号用ミキサ２２に与え、第２のＩ信号用ミキサ２２に与えられる信号とは９０度位相の異なる第２のローカル信号の直交成分を第２のＱ信号用ミキサ２３に与える。
【００２３】
第２のＩ信号用ミキサ２２は、増幅器２０で増幅されたＩ信号と、第２の発振器２４から入力された局部発振信号とを混合して周波数変換し（アップコンバート）、周波数変換されたＩ信号を合成器２５に出力する。一方、第２のＱ信号用ミキサ２３は、増幅器２１で増幅されたＱ信号と、第２の発振器２４から入力された局部発振信号とを混合して周波数変換し（アップコンバート）、周波数変換されたＱ信号を合成器２５に出力する。
【００２４】
合成器２５は、第２のＩ信号用ミキサ２２から入力されたＩ信号と、第２のＱ信号用ミキサ２３から入力されたＱ信号とを合成し、合成後の信号をローパスフィルタ２６に出力する。ローパスフィルタ２６は、合成器２５から入力された合成後の信号に対して、所定の帯域（例えば、６ＭＨｚ）よりも高域を阻止帯域とすると共に、所定の帯域内の信号を通過可能に構成されている。ローパスフィルタ２６を通過した信号は、出力端子Ｔ２を介して後段の復調部４に出力される。
【００２５】
ＲＯＭ１９には、トリミングデータからなる遮断周波数校正値が記憶されている。図３は、トリミングデータからなる遮断周波数校正値を説明するための図である。図３Ａに示すように、トリミングデータからなる遮断周波数校正値（Ｔｒｉｍ＿Ｄａｔａ）は、ローパスフィルタ１６，１７の製造の際に、遮断周波数を測定し、その測定した遮断周波数を設計値に近似させるようにトリミング（例えばレーザトリミング）した際のトリミングデータである。図３Ａには、「０」から「５」の６つの遮断周波数校正値が示されており、遮断周波数校正値が大きくなるに従い遮断周波数も大きくなる傾向にある（図４Ｂ）。すなわち、遮断周波数校正値が大きければ、遮断周波数が大きく（折り返しとなる帯域幅は広い）、遮断周波数校正値が小さければ、遮断周波数が小さい（折り返しとなる帯域幅が狭い）特性を有している。図３Ｂに示すように、ローパスフィルタ１６，１７の遮断周波数校正値は、初期状態（出荷時）において、制御データ（ＩＦ＿ＢＷ）はＩＣメーカ推奨のデフォルト値と対応付けられている。図３Ｂには、制御データ（ＩＦ＿ＢＷ）のデフォルト値として「６」が示されている。ＩＦ＿ＢＷ＝６は、地上波デジタル放送受信においてチャネル帯域幅を標準値である６ＭＨｚに設定することを意味する。ローパスフィルタ１６，１７を構成するＩＣの出荷時には、いずれかのトリミングデータからなる遮断周波数校正値（例えば、「３」）がＲＯＭ１９内に記憶されており、レジスタ１８には制御データ（「６」）が設定される。なお、トリミングデータ及び制御データの数及び構成は、図３に示すものに限定されるものではなく、使用する放送システムの構成及び用途等に応じて適宜変更可能である。
【００２６】
レジスタ１８には、制御部５がＲＯＭ１９の中のトリミングデータから読み出した遮断周波数校正値に応じて決定した制御データが書き込まれる。ローパスフィルタ１６，１７は、レジスタ１８に書き込まれた制御データに対応した帯域幅に設定される。
【００２７】
例えば、レジスタ１８が読み出した遮断周波数校正値（例えば、図３に示す「４」）が所定値（例えば、図３に示す「３」）よりも大きい場合、制御部５は、相対的に小さな帯域幅の制御データをレジスタ１８に書き込む。上述したように、遮断周波数校正値が大きい場合にはチャネル帯域幅も大きくなる特性を有している（図４Ｂ）。そのため、ローパスフィルタ１６，１７の回路素子に製造上のバラツキがある場合、ローパスフィルタ１６，１７の遮断周波数の位置が高域側にずれてしまい、周波数通過特性に影響が及ぶことになる。図４Ａは、ローパスフィルタ１６，１７の帯域幅と、希望波及び妨害波との関係を示す図である。図４Ａに示すように、ローパスフィルタ１６，１７のバラツキによって遮断周波数の位置が所望位置から高域側にずれた場合、遮断周波数よりも内側に妨害波Ｎ−１のＳ信号（４７５．７５ＭＨｚ）が混入するので、妨害波Ｎ−１のＳ信号の抑制が不十分となり、チューナブロック３の受信感度が劣化し、復調信号の妨害特性が劣化する恐れがある。この場合には、制御部５は、読み出した遮断周波数校正値（「４」）に応じて相対的に小さな帯域幅の制御データ（例えば、制御データ「５」）をレジスタ１８に書き込む。これにより、ローパスフィルタ１６，１７には制御データ「５」に対応して６ＭＨｚより狭い５ＭＨｚの帯域幅が設定されるので、遮断周波数の外側に妨害波Ｎ−１のＳ信号を配置でき、妨害波Ｎ−１のＳ信号を十分に抑制できる。図３Ｃは、レジスタ１８を介して制御データが書き換えられた後の遮断周波数校正値と制御データとの関係を示している。従来は、遮断周波数校正値の大きさによらず相対的に帯域幅の大きな第２の制御データ「６」が書き込まれるが（図３Ｂ）、本実施の形態ではＲＯＭ１９から読み出した遮断周波数校正値（「６」）が所定値（「３」）よりも大きいため、遮断周波数校正値「４」に対して、相対的に帯域幅の小さい第１の制御データ「５」がレジスタ１８に制御部５から書き込まれる（図３Ｃ）。
【００２８】
一方、レジスタ１８が読み出した遮断周波数校正値（例えば、図３に示す「２」）が所定値（例えば、図３に示す「３」）よりも小さい場合、ローパスフィルタ１６，１７の製造上のバラツキによって、遮断周波数の位置が所望位置から低域側にずれていると、ローパスフィルタ１６，１７の帯域幅が小さくなって、希望波の帯域内のキャリアが削られ（減衰され）てＣ／Ｎが劣化する恐れがある。この場合、制御部５は、ＲＯＭ１９から読み出した遮断周波数校正値（「２」）が所定値（図３に示す「３」）よりも小さいので、相対的に大きな帯域幅の制御データ（制御データ「６」）をレジスタ１８に書き込む。これにより、ローパスフィルタ１６，１７の遮断周波数が高域側にずれて折り返しの帯域幅が広くなるので、希望波が削られずに、Ｃ／Ｎの劣化を防止することができる。レジスタ１８では、デフォルト値で相対的に帯域幅の小さな第１の制御データ「５」が書き込まれていれば、相対的に帯域幅の大きい第２の制御データ「６」に書き換えられることになるが、デフォルトで第２の制御データ「６」が書き込まれる設定であれば変更は発生しない。なお、ここでは、第１及び第２の制御データを用いてローパスフィルタ１６，１７のチャネル帯域幅を設定する構成としたが、本発明はこれに限定されるものではなく、例えば、３つ以上の制御データを用いてローパスフィルタ１６，１７のチャネル帯域幅を設定することも可能である。
【００２９】
次に、図５を用いて、本実施の形態に係るデジタル放送受信装置１のローパスフィルタ１６，１７の帯域幅の設定動作について説明する。図５は、本実施の形態に係るデジタル放送受信装置のローパスフィルタ１６，１７の帯域幅の設定動作を示すフローチャートである。ここでは、図３に示すトリミングデータからなる遮断周波数校正値を用い、所定値が「３」、ＲＯＭ１９に記憶された遮断周波数校正値が「４」である場合を例に挙げて説明する。
【００３０】
まず、制御部５から発振器１５，２４に対して選局開始の指示が与えられ、制御部５の制御対象となるＲＦ  ＩＣ（チューナブロック３）が決められ、当該ＲＦ  ＩＣのスレーブアドレスが指定される（ステップＳＴ１）。そして、指定されたチューナブロック３が初期化される（ステップＳＴ２）。ここでは、増幅器１１，２０，２１のゲイン、ローパスフィルタ１６，１７，２６のチャネル帯域幅、発振器１５のチャージポンプ等が設定される。
【００３１】
次に、制御部５がＲＯＭ１９内に記憶されているトリミングデータからなる遮断周波数校正値を読み込む（ステップＳＴ３）。ここでは、ＲＯＭ１９内に記憶された遮断周波数校正値「４」が読み出される。
【００３２】
次に、制御部５は、ＲＯＭ１９から読み出した遮断周波数校正値が所定値以上か否かを判別する（ステップＳＴ４）。ここでは、制御部５は、読み出した遮断周波数校正値「４」が所定値「３」以上であると判別し（ステップＳＴ４：Ｙｅｓ）、相対的に小さな帯域幅の制御データ「５」をレジスタ１８に書き込む。レジスタ１８に制御データ「５」が書き込まれると、遮断周波数校正値「４」に対して、相対的に帯域幅の大きい第２の制御データ「６」が初期設定されていた状態から（図３Ｂ）、相対的に帯域幅の小さい第１の制御データ「５」が書き込まれた状態に更新される（図３Ｃ）。このレジスタ１８の制御データの書き込みによって、ローパスフィルタ１６，１７の帯域幅が小さくなるように変更（補正）される（ステップＳＴ５）。これにより、ローパスフィルタ１６，１７の帯域幅が狭くなり、妨害波の混入が防止される。なお、ステップＳＴ４において、読み出した遮断周波数校正値が所定値より小さい場合には（ステップＳＴ４：Ｎｏ）、相対的に大きい帯域幅の制御データ「６」をレジスタ１８に書き込む（ステップＳＴ６）。
【００３３】
そして、発振器１４が発振されて選局データが設定され（ステップＳＴ７）、次のＲＦ  ＩＣの制御が行われる（ステップＳＴ８）。
【００３４】
このように、本実施の形態では、デジタル放送受信装置１は、９０°位相の異なる局部信号（第１のローカル信号）を高周波受信信号と混合して直交２相の信号であるＩ信号及びＱ信号を生成する第１のＩ信号用ミキサ１２及び第２のＱ信号用ミキサ１３と、第１のＩ信号用ミキサ１２及び第１のＱ信号用ミキサ１３の後段にそれぞれ接続され、遮断周波数特性が設計値に近似するように事前にトリミングされており、外部から与えられる制御データによって帯域幅を制御可能に構成されたローパスフィルタ１６，１７と、ローパスフィルタ１６，１７の遮断周波数特性をトリミングした際のトリミングデータからなる遮断周波数校正値を記憶したＲＯＭ１９と、を備えている。そして、ローパスフィルタ１６，１７は、ＲＯＭ１９に記憶されている遮断周波数校正値の大きさに応じて決定された制御データが制御部５から与えられて帯域幅が設定される。これにより、ＲＯＭ１９に記憶されている遮断周波数校正値の大きさに応じて決定された制御データが制御部５から与えられて、ローパスフィルタ１６，１７の帯域幅が設定されるので、ローパスフィルタ１６，１７の回路素子に製造上のバラツキが生じた場合でも、ローパスフィルタ１６，１７の帯域幅が補正されるので、チューナブロック３の受信特性の劣化を防止することができる。
【００３５】
なお、本発明は上記実施の形態に限定されず、種々変更して実施することが可能である。上記実施の形態にいて、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【産業上の利用可能性】
【００３６】
以上説明したように、本発明は、ローパスフィルタに製造上のバラツキが生じた場合でも、チューナブロックの受信感度の劣化を防止することができるという効果を有し、例えば、ダイバーシティ受信を行う車載用ナビゲーション装置等の移動体端末装置として有用である。
【符号の説明】
【００３７】
１  デジタル放送受信装置
２  アンテナ受信部
３  チューナブロック
４  復調部
５  制御部
１１、２０、２１  増幅器
１２  第１のＩ信号用ミキサ（Ｉ信号用ミキサ）
１３  第１のＱ信号用ミキサ（Ｑ信号用ミキサ）
１４  発振器
１５  第１の発振器
１６、１７、２６  ローパスフィルタ
１８  レジスタ
１９  ＲＯＭ（メモリ部）
２２  第２のＩ信号用ミキサ
２３  第２のＱ信号用ミキサ
２４  第２の発振器
２５  合成器
Ｉ２Ｃ  通信バス
Ｔ１  ＲＦ端子
Ｔ２  出力端子
【図１】
2012186596.tif 000003
【図２】
2012186596.tif 000004
【図３】
2012186596.tif 000005
【図４】
2012186596.tif 000006
【図５】
2012186596.tif 000007